(57)【要約】【課題】  記録材料の固有情報を装置に自動的に設定可能とし、異種記録材料の誤装填によるセットミス及び画像記録不良を確実に防止する画像記録方法及び画像記録装置を提供する。【解決手段】  この画像記録方法は、記録材料の固有情報を記録したＩＤタグがその記録材料を収納する収納箱に備えられており、記録材料がカートリッジに収容されるとともにＩＤタグをそのカートリッジに貼付してから、カートリッジを画像記録装置に装填し、画像記録装置への装填後に、ＩＤタグからカートリッジに収容された記録材料の固有情報を読み取り、固有情報に基づいて記録材料に対し画像記録の動作を行う。【選択図】  図１１
2005181836.tif 000002
【特許請求の範囲】
【請求項１】
記録材料の固有情報を記録した非接触タグがその記録材料を収納する収納箱に備えられており、前記記録材料がカートリッジに収容されるとともに前記非接触タグをそのカートリッジに貼付してから、前記カートリッジを画像記録装置に装填し、
前記画像記録装置への装填後に、前記非接触タグから前記カートリッジに収容された記録材料の固有情報を読み取り、前記固有情報に基づいて前記記録材料に対し画像記録の動作を行うことを特徴とする画像記録方法。
【請求項２】
前記非接触タグに前記記録材料の固有情報が表記されていることを特徴とする請求項１に記載の画像記録方法。
【請求項３】
前記非接触タグから読み取られた前記固有情報を前記画像記録装置の表示部に表示するとともに前記画像記録装置に設定することを特徴とする請求項１または２に記載の画像記録方法。
【請求項４】
前記読み取られた固有情報に基づいて前記カートリッジに収容された記録材料が異種記録材料であるか否かの判定を行い、異種記録材料と判定したとき、警告を発することを特徴とする請求項１，２または３に記載の画像記録方法。
【請求項５】
前記読み取られた固有情報に基づいて前記カートリッジに収容された記録材料が異種記録材料であるか否かの判定を行い、異種記録材料と判定したとき、カートリッジ交換に係る制御以外の動作を停止させた後、前記画像記録装置の表示部に表示することを特徴とする請求項１，２，３または４に記載の画像記録方法。
【請求項６】
カートリッジに収容された記録材料の固有情報を記録した非接触タグを含む前記カートリッジを装填可能な画像記録装置であって、
前記装填されたカートリッジの非接触タグから読み取り手段により前記記録材料の固有情報を読み取り、前記固有情報に基づいて前記記録材料に対し画像記録の各動作を行うことを特徴とする画像記録装置。
【請求項７】
前記読み取られた記録材料の固有情報を表示部に表示するとともに、画像記録部に設定することを特徴とする請求項６に記載の画像記録装置。
【請求項８】
前記読み取られた固有情報に基づいて前記カートリッジに収容された記録材料が異種記録材料であるか否かの判定を行い、異種記録材料と判定したとき、警告を発する警告手段を備えることを特徴とする請求項６または７に記載の画像記録装置。
【請求項９】
前記読み取られた固有情報に基づいて前記カートリッジに収容された記録材料が異種記録材料であるか否かの判定を行い、異種記録材料と判定したとき、カートリッジ交換に係る制御以外の動作を停止させた後、表示部に表示することを特徴とする請求項６，７または８に記載の画像記録装置。
【発明の詳細な説明】
【技術分野】
【０００１】
本発明は、画像記録装置に関するものである。
【背景技術】
【０００２】
従来、感光紙等の記録材料を収納したカートリッジを画像記録装置に装填し、画像記録装置内でカートリッジから記録材料を引き出して搬送し画像記録を行っているが、カートリッジ内の記録材料の種類を判別するために、カートリッジの外箱部に記録材料の固有情報を含むバーコードまたは手動切り替えによるスイッチを設けることで判別を行い、異種記録材料の装墳による画像形成不良を防止するようにしていた。
【０００３】
また、下記特許文献１、２には、情報を書き込み可能なＩＣカードを備えるカートリッジが感光材料処理装置に装填され、感光材料の露光処理を行うことでカートリッジ内の感光材料の残量が変化すると、それに応じてＩＣカードに書き込こまれた情報を読み取り、適切な露光処理を行うことが開示されているが、感光材料の固有情報を装置側の設定に反映させるのは感光材料の残量のみである。
【０００４】
装置に対し感光材料の固有情報の設定を手動で行うと、設定ミスが起こり易く、また、繁雑な作業となってしまう。また、上述のように、カートリッジの異種記録材料の誤装墳によるセットミスを防止するにはバーコードの読み取りやスイッチの手動切り替えによっていたが、煩わしく面倒であった。
【特許文献１】特開２０００−２２１６１２公報
【特許文献２】特開２００２−１９２０７公報
【発明の開示】
【発明が解決しようとする課題】
【０００５】
本発明は、上述のような従来技術の問題に鑑み、記録材料の固有情報を装置に自動的に設定可能とし、異種記録材料の誤装填によるセットミス及び画像記録不良を確実に防止する画像記録方法及び画像記録装置を提供することを目的とする。
【課題を解決するための手段】
【０００６】
上記目的を達成するために、本発明による画像記録方法は、記録材料の固有情報を記録した非接触タグがその記録材料を収納する収納箱に備えられており、前記記録材料がカートリッジに収容されるとともに前記非接触タグをそのカートリッジに貼付してから、前記カートリッジを画像記録装置に装填し、前記画像記録装置への装填後に、前記非接触タグから前記カートリッジに収容された記録材料の固有情報を読み取り、前記固有情報に基づいて前記記録材料に対し画像記録の動作を行うことを特徴とする。
【０００７】
この画像記録方法によれば、記録材料を収納する収納箱に貼付され記録材料の固有情報を記録した非接触タグがその記録材料を収容したカートリッジに貼付され、そのカートリッジを画像記録装置に装填すると、非接触タグからカートリッジに収容された記録材料の固有情報を読み取り、その固有情報に基づいて画像記録の各動作を行い、記録材料の固有情報を装置に自動的に設定可能であり、例えば読み取られた固有情報に基づいて異種記録材料の検出が可能になり、異種記録材料の誤装填によるセットミス及び画像記録不良を確実に防止できる。
【０００８】
なお、固有情報としては、記録材料の種別、幅サイズ、製造番号、感度指数があるが、これらに限定されるものではなく、非接触タグに記憶させる固有情報は、適宜増減可能である。
【０００９】
上記画像記録方法において前記非接触タグに前記記録材料の固有情報が表記されていることが好ましい。これにより、カートリッジに装填された記録材料の固有情報をカートリッジを開けること無く認識可能となる。
【００１０】
また、前記非接触タグから読み取られた前記固有情報を前記画像記録装置の表示部に表示するとともに前記画像記録装置に設定することで、記録材料の固有情報を表示部で確認でき、また装置の設定に反映でき、自動的に設定できる。
【００１１】
また、前記読み取られた固有情報に基づいて前記カートリッジに収容された記録材料が異種記録材料であるか否かの判定を行い、異種記録材料と判定したとき、警告を発することで、ユーザに注意を喚起することができ、異種記録材料の誤装填によるセットミス及び画像記録不良を確実に防止できる。
【００１２】
また、前記読み取られた固有情報に基づいて前記カートリッジに収容された記録材料が異種記録材料であるか否かの判定を行い、異種記録材料と判定したとき、カートリッジ交換に係る制御以外の動作（例えば、記録材料の給送、露光動作等）を停止させた後、前記画像記録装置の表示部に表示することで、ユーザに注意を喚起することができ、カートリッジ交換を安全かつ速く行うことができ、異種記録材料の誤装填によるセットミス及び画像記録不良を確実に防止できる。
【００１３】
本発明による画像記録装置は、カートリッジに収容された記録材料の固有情報を記録した非接触タグを含む前記カートリッジを装填可能な画像記録装置であって、前記装填されたカートリッジの非接触タグから読み取り手段により前記記録材料の固有情報を読み取り、前記固有情報に基づいて前記記録材料に対し画像記録の各動作を行うことを特徴とする。
【００１４】
この画像記録装置によれば、記録材料の固有情報を記録した非接触タグが貼付等されたカートリッジを画像記録装置に装填すると、読み取り手段で非接触タグからカートリッジに収容された記録材料の固有情報を読み取り、その固有情報に基づいて画像記録の各動作を行い、記録材料の固有情報を自動的に設定可能であり、例えば読み取られた固有情報に基づいて異種記録材料の検出が可能になり、異種記録材料の誤装填によるセットミス及び画像記録不良を確実に防止できる。
【００１５】
上記画像記録装置において前記読み取られた記録材料の固有情報を表示部に表示するとともに、前記画像記録部に設定することで、記録材料の固有情報をカートリッジを開けること無く表示部で確認でき、また装置の設定に反映でき、自動的な設定が可能となる。
【００１６】
また、前記読み取られた固有情報に基づいて前記カートリッジに収容された記録材料が異種記録材料であるか否かの判定を行い、異種記録材料と判定したとき、警告を発する警告手段を備えることで、ユーザに注意を喚起することができ、異種記録材料の誤装填によるセットミス及び画像記録不良を確実に防止できる。
【００１７】
また、前記読み取られた固有情報に基づいて前記カートリッジに収容された記録材料が異種記録材料であるか否かの判定を行い、異種記録材料と判定したとき、カートリッジ交換に係る制御以外の動作（例えば、記録材料の給送、露光動作等）を停止させた後、表示部に表示することで、ユーザに注意を喚起することができ、カートリッジ交換を安全かつ速く行うことができ、異種記録材料の誤装填によるセットミス及び画像記録不良を確実に防止できる。
【発明の効果】
【００１８】
本発明の画像記録方法及び画像記録装置によれば、記録材料の固有情報を装置に自動的に設定であり、簡単かつ確実に設定でき、異種記録材料の誤装填によるセットミス及び画像記録不良を確実に防止できる。
【発明を実施するための最良の形態】
【００１９】
以下、本発明を実施するための最良の形態について図面を用いて説明する。図１は本実施の形態による画像記録装置全体の外観を示す斜視図である。図２は図１の画像記録装置の内部を正面側から見た図である。図３は図２の画像記録装置のドラム及び光学ユニットを上部から見た要部平面図である。
【００２０】
図１、図２に示すように、画像記録装置１は、印刷出力対象の絵柄、色調、文章、文字等の確認を行うためのカラープルーフ（校正用サンプル）を作成するものであって、シート状の記録材料である銀塩カラー感光材料（以下、単に「記録紙」という。）に露光し画像を形成する露光ユニット１１と、露光された記録紙を現像する現像ユニット２１と、を備える。
【００２１】
露光ユニット１１は、装置前面から取っ手５ｂを掴むことでメンテナンス時等に開閉可能なように設けられた開閉扉５ａと、各種情報の表示とタッチパネルからなり装置全体の操作のために入力可能な入力表示部２と、入力表示部２の近傍に設けられ記録紙の種類が異なることを検出したときに警告をするためにブザー音等のアラーム音を発生する警告音発生部４８と、入力表示部２の近傍に設けられ同じく警告のために赤色光や黄色光等が点滅する発光ダイオード（ＬＥＤ）等からなる警告発光部４９と、内部にシート状の記録紙をロール状に巻回して収容したカートリッジ１３を給紙カバー３，４の開放後に装填可能な装填部１２，１２’と、を備える。
【００２２】
図１では装填部１２，１２’にカートリッジ１３を装填する前、装填した後の状態を示しているが、カートリッジ１３の装填後に給紙カバー３，４で装填部１２，１２’を閉じると、カバースイッチ８ａ、８ｂ（図４）がオンするようになっている。
【００２３】
現像ユニット２１は、メンテナンスのために開閉可能な上面パネル６と、前面には、現像処理液等の補充等のために開閉可能に設けられた補給パネル７と、を備える。
【００２４】
図２に示すように、露光ユニット１１は、内部にロール状に巻かれた記録紙を収容したカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙Ｓを外周面に真空吸引し保持しながら主走査のために回転方向Ｒに回転する回転ドラム１０と、回転ドラム１０上の記録紙に対しＬＥＤ光やレーザ光等の光ビームを露光する光学ユニット１６と、光学ユニット１６を副走査のために副走査方向（図１の紙面垂直方向）に搬送する副走査部１７と、画像記録後の回転ドラム１０上の記録紙を剥離する剥離部材１５と、を備える。露光後の記録紙は出口１９及び接続部１９ａを通して現像ユニット２１へと搬送される。
【００２５】
図２の画像記録装置１は、更に、搬送ローラ対４２の下流側に配置され回転ドラム１０に向けて送られる記録紙の搬送に従い従動回転する従動ローラ３１と、記録紙を回転ドラム１０との間で搬送する従動ローラ３１と、回転ドラム１０上から剥離部材１５で剥離された記録紙を回転ドラム１０と従動ローラ３１とで搬送するときに記録紙をガイドするアキュームガイド部材１８と、アキュームガイド部材１８で送られてきた記録紙を出口１９へと更に搬送する搬送ローラ対３２と、搬送ローラ対３２に達した記録紙をアキュームするためにアキュームガイド部材１８の一部が開放されることで形成されるアキュームレート部３０と、搬送ローラ対３２の下流側近傍に配置された記録紙の先端を検出する検出センサ３３と、を備える。
【００２６】
また、搬送ローラ対４２の下流側近傍に配置された比較的幅狭の従動ローラ４３は記録紙の移動とともに従動回転し、この従動ローラ４３と同軸にロータリエンコーダ（図示省略）が連結されている。このロータリエンコーダが従動ローラ４３とともに回転し回転量を測定することで搬送ローラ対４２を通過して回転ドラム１０に巻き付けられた記録紙の長さを求めることができる。また、下流側の搬送ローラ対３２は、ワンウェイクラッチ構造を有し、記録紙の下流側への送り出し方向への回転が自在となっている。
【００２７】
図２の搬送ローラ対４０，４１の下流側近傍には記録紙を切断するカット部１０ａがそれぞれ配置されており、各カット部１０ａはモータ（図示省略）により回転駆動されるロータリカッタを有し、上述の記録紙の長さ測定に基づいて記録紙を所定長さに切断する。
【００２８】
図２の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、排出された記録紙を集積する集積部２８と、を備える。
【００２９】
図３のように、画像記録装置１の回転ドラム１０は、回転軸部１４’の回転軸１４ａ及び回転軸部１８ａの回転軸１５ａが軸受３３ａ、３３ｂを介して支持台３４ａ、３４ｂに回転可能に軸支されている。回転ドラム１０の一方の回転軸１５ａには、駆動プーリ３５ａが設けられ、この駆動プーリ３５ａは回転ドラム駆動用パルスモータＭ６の出力プーリ３５ｂとベルト３６により連結され、回転ドラム駆動用パルスモータＭ６の駆動により回転ドラム１０が回転する。また、回転ドラム１０の回転軸１５ａには、ロータリーエンコーダ３７が設けられ、回転のためのパルス信号を出力して回転ドラムの回転に同期した画素クロック制御に用いる。
【００３０】
回転ドラム１０の他方の回転軸１４ａは吸引ブロアＰ１に連結されている。回転ドラム１０の表面には吸着孔３１ｃが回転軸方向に直線状に延びて多数形成されており、吸引ブロアＰ１の駆動により回転ドラム１０の内部が減圧されて記録紙が回転ドラム１０の表面に吸着される。
【００３１】
光学ユニット１６は、副走査部１７により回転ドラム軸と平行に移動可能に構成され、回転ドラム１０に吸着された記録紙に光ビームで露光して画像の書き込みを行う。図３に示すように、光学ユニット１６には、異なる３波長の光源としてＬＥＤユニット３２０、ＬＥＤユニット３２１、ＬＥＤユニット３２２が配置されている。各ＬＥＤユニット３２０，３２１，３２２はそれぞれ複数チャンネル分の基板上に配置された発光ダイオード（ＬＥＤ）を備え、各ＬＥＤユニット３２０，３２１，３２２からの光ビームは、ミラー３２５、３２６、３２７を介して、集光レンズ３３１から回転ドラム１０上の記録紙に画像を露光する。露光シャッタ３３２は露光ソレノイド３３３により開閉することで、露光開始／終了時に光路の開閉を行なう。
【００３２】
また、複数のＬＥＤユニット３２０，３２１，３２２は、例えば、それぞれ波長４５０ｎｍ程度のＢ（ブルー）、波長５４０ｎｍ程度のＧ（グリーン）、波長６５０ｎｍ程度のＲ（レッド）の各色を発光するように構成でき、各ＬＥＤユニットにより銀塩カラー感光材料を露光したとき、ＢによりＹ（イエロー）、ＲによりＭ（マゼンダ）、ＧによりＣ（シアン）がそれぞれ発色するようになる。
【００３３】
光学ユニット１６は、移動ベルト３４０に固定され、一対のガイドレール３４１、３４２に案内されて回転ドラム軸と平行方向の副走査方向Ｈ及びその反対の方向Ｈ’に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６が回転ドラム軸と平行に副走査方向Ｈ、その反対の方向Ｈ’に移動する。
【００３４】
また、図３のように、回転ドラム１０の外周面の回転ドラム軸と平行の延長上位置にはフォトダイオード等の受光素子からなる測光部５７が配置されており、図３のホームポジションの位置の光学ユニット１６が方向Ｈ’に若干移動し各ＬＥＤユニット３２０〜３２２からの光ビームが測光部５７に入射することで、各チャンネルの各ＬＥＤの光ビームの光量を測定できるようになっている。
【００３５】
図３に示すように、吸引ブロアＰ１は空気吸引ポンプにより吸引連結管５１を通して回転ドラム１０内を吸引し、露光ユニット１１による露光開始前に回転ドラム１０内を負圧にし記録紙を外周面に吸着する。
【００３６】
次に、図１〜図３の画像記録装置１における画像データの流れ及び制御系について更に図４を参照して説明する。図４は図１〜図３の画像記録装置１の露光ユニット１１における画像データの流れ及び画像記録装置１の制御系のブロック図である。
【００３７】
図４に示すように、図１〜図３の画像記録装置１は、カラープルーフを作成するために画像処理装置であるＲＩＰ(Raster Image Processor)４９でラスターデータから網点画像データを作成し、この網点画像データがＲＩＰ４９から露光ユニット１１に転送されるようになっている。
【００３８】
露光ユニット１１は、図４のように、ＲＩＰ４９からの網点画像データが入力する画像データＩ／Ｆ部５２と、画像データＩ／Ｆ部５２からの網点画像データをいったん記憶し随時出力するハードディスク記憶装置等からなるデータバッファ５３と、データバッファ５３からの網点画像データに基づいて記録紙に対する露光のための露光データを作成するルックアップテーブル５４と、ルックアップテーブル５４からの露光データのデジタル信号をアナログ信号に変換するＢ、Ｇ、Ｒの各ＬＥＤユニット３２０〜３２２に対応した複数のＤ／Ａ変換部５５ａ，５５ｂ，５５ｃと、Ｄ／Ａ変換部５５ａ〜５５ｃからの各アナログ信号により各ＬＥＤユニット３２０〜３２２の各ＬＥＤを直接にアナログ変調しドライブする複数のドライバ５６ａ，５６ｂ，５６ｃと、を備える。
【００３９】
図４の制御部５０は、中央演算処理装置（ＣＰＵ）等から構成され、画像データＩ／Ｆ部５２、データバッファ５３、ルックアップテーブル５４、各種情報を入力し表示可能な入力表示部２、警告音発生部４８、警告発光部４９、読取部７０、判定部８０、及び露光ユニット１１及び現像ユニット２１の他の各部を制御する。
【００４０】
読取部７０は、図１の装填部１２，１２’にカートリッジ１３が装填され給紙カバー３，４が閉じられてカバースイッチ８ａ、８ｂがオンとなることで作動し、後述のようにカートリッジ１３に非接触タグとして貼付されたＩＤタグに一定時間電波を送り、ＩＤタグから記録紙の固有情報を読み取る。
【００４１】
判定部８０は読取部７０で読み取られた記録紙の固有情報に基づいてカートリッジ１３内の記録紙が規定通りのものか否かを判定する。規定通りのものではなく、異種記録紙と判定された場合は、警告音発生部４８及び警告発光部４９を作動させ、また入力表示部２に表示する。
【００４２】
次に、図１，図２の画像記録装置１の装填部１２，１２’に装填可能なカートリッジ１３について図５乃至図１０を参照して説明する。
【００４３】
図５は図１の画像記録装置で使用可能なロール状に巻回された記録紙を示す斜視図である。図６は図５のように巻回された記録紙を収納した収納箱を概略的に示す斜視図である。図７は図１のカートリッジの内部を側面から見た側断面図である。図８は図７のカートリッジの奥側の背面図である。図９は図５のＩＤタグカードの平面図である。図１０は図９のＩＤタグ及び図７の画像記録装置側に設けられた読取部の電気回路図である。
【００４４】
図５のように、記録紙Ｓは円筒状の巻き芯部材６０の両側端に設けられた大径の円形状の鍔部６１，６２の間に巻回されている。図６のように、図５の記録紙Ｓは、収納箱Ｂ内に収納されており、収納箱Ｂに収納された状態で図１の画像記録装置１のユーザに供給され、収納箱Ｂの上蓋Ｂ１を開放して取り出し可能になっている。図５の収納箱Ｂの上蓋Ｂ１には、ＩＤタグが設けられた矩形状のＩＤタグカード６５が取り外し可能なように貼り付けられている。
【００４５】
図７，図８に示すように、カートリッジ１３は、全体として略直方体状で長く延びるように構成され、その長手方向が図１の装填部１２，１２’に装填されるときのカートリッジ１３の装填方向Ｔに一致する。上側シェル５６と下側シェル５７の両側端部１３ａ及び１３ｂはそれぞれ樹脂材料から構成されている。
【００４６】
カートリッジ１３は、筐体が上側と下側の二つのシェル５６，５７に２分割されており、上側シェル５６と下側シェル５７が蝶番５９により接続され開閉可能でありロール状の記録紙を収容可能である。
【００４７】
蝶番５９はカートリッジ１３の上面側に配置され、また、蝶番５９とは反対側のカートリッジ１３の下面側における上側シェル５６と下側シェル５７との合わせ部５８からローラ対５５を通して記録紙Ｓの先端を引き出して使用する構造になっている。
【００４８】
カートリッジ１３の上側シェル５６の上面には手前側端部１３ｂの近傍に持ち運び用の取っ手１３ｄが設けられ、同じく装填方向Ｔの奥側端部１３ａの近傍に持ち運び用の取っ手１３ｃが設けられている。
【００４９】
図６の収納箱Ｂ内に収納された状態の記録紙Ｓを収納箱Ｂの上蓋Ｂ１を図６の破線のように開放して取り出し、蝶番５９で上側シェル５６と下側シェル５７を開放してカートリッジ１３内に収容することができる。記録紙Ｓをカートリッジ１３内に収容したとき、図５の収納箱Ｂの上蓋Ｂ１からＩＤタグカード６５を取り外し、図８の破線のように奥側端部１３ａの所定位置に、後述のように装置側の読取部７０と接近して対向するように貼付する。
【００５０】
図９のように、カード状のＩＤタグカード６５は、記録紙に関する上記固有情報が記録されたＩＣチップからなるＩＤタグ６６と金属薄膜からなるコイル部６７とが固定されるようにして設けられている。また、ＩＤタグカード６５の表面の一部には情報領域６５ａが設けられており、情報領域６５ａに記録紙の下記のような固有情報の一部を含む記録紙情報が印刷等により表記されている。これにより、ユーザは記録紙の固有情報等を視認できる。
【００５１】
ＩＤタグ６６には、その記録紙Ｓの固有情報として例えば、記録紙の種類（光沢紙やマット紙等の）、幅サイズ、製造番号、感度指数が記録されているが、これらに限定されるものではない。かかる固有情報は、記録紙の生産工場等において書き込み装置を用いてＩＤタグ６６に記録することができる。
【００５２】
また、図７に示すように、図１，図２の画像記録装置１の装填部１２，１２’の装填方向奥側には、カートリッジ１３が装填されたときに、カートリッジ１３の奥側端部１３ａに貼付されたＩＤタグカード６５に接近するように読取部７０が設けられており、読取部７０は図４の制御部５０により制御されるとともに、ＩＤタグ６６から読み取った記録紙の固有情報を制御部５０に送る。
【００５３】
図１０に示すように、読取部７０は、コイル部７１と、電源７２と、送信のための変調部７０ａと、受信のための復調部７０ｂとを含み、また、ＩＤタグ６６は、コイル部６７と、送信のための変調部６６ａと、受信のための復調部６６ｂと、を含む。読取部７０のコイル部７１と、ＩＤタグ６６のコイル部６７とが交流磁界によるコイルの相互誘導・電磁誘導により交信し、電源供給がなされる。
【００５４】
図１０において、読取部７０からコイル部７１を介して送信すると、ＩＤタグ６６がコイル部６７で受信し電力を内部で蓄積して電源とするとともに、ＩＣチップに記憶されたＩＤコード信号を読取部７０に送信する。読取部７０は、受信したＩＤコード信号を復調部７０ｂで解読し、その読み取り情報を内蔵のメモリに蓄積し、必要に応じてインターフェイスを介して図４の制御部５０に転送し、制御部５０ではその読み取り情報に基づいて記録紙の固有情報を得る。上述のようにして、読取部７０は、ＩＤタグ６６から電波により通信を行うことで非接触で記録紙の固有情報を読み取ることができる。
【００５５】
また、ＩＤタグカード６５のＩＤタグ６６はコイル部６７で読取部７０から受信し、その電力を動作電力に用いるので駆動電源が不要であり、また、読取部７０と非接触で接続できる。また、ＩＤタグカード６５は、外部との接触用端子が不要であり、コイル部とＩＣチップだけで構成できるので、低コスト化、軽量化、小型化を図ることができる。
【００５６】
次に、図５，図６のロール状の記録紙を収容した図７，図８のカートリッジが装填された図１乃至図４の画像記録装置１の動作について図１１のフローチャートを参照して説明する。
【００５７】
まず、図１の画像記録装置１の外部の暗室等において、図５，図６のロール状の記録紙Ｓを収納箱Ｂから取り出して図７，図８のカートリッジ１３に収容する（Ｓ０１）。そして、収納箱Ｂから取り外したＩＤタグカード６５を図８のようにカートリッジの奥側端部１３ａの所定位置に貼り付ける（Ｓ０２）。
【００５８】
次に、例えば画像記録装置１の装填部１２にカートリッジ１３を装填し（Ｓ０３）、給紙カバー３、４を閉じると、カバースイッチ８ａ、８ｂがオンとなり、画像記録装置１の読取部７０が動作し、電波をＩＤタグ６６に送信し、ＩＤタグ６６から信号を受信することで、記録紙の固有情報を読み取る（Ｓ０４）。
【００５９】
次に、図４の判定部８０は、読取部７０で読み取られた記録紙の固有情報に基づいてカートリッジ１３内に収容された記録紙が予めユーザにより入力表示部２から入力等されて設定された規定通りのものか否かを判定する（Ｓ０５）。もし、規定通りのものではなく、異種記録材料と判定された場合は、警告音発生部４８及び警告発光部４９を作動させることで、ユーザに警告を出し（Ｓ０６）、ユーザに注意を喚起する。
【００６０】
次に、カートリッジ交換に係る制御以外の動作（例えば、給送部１４や光学ユニット１６等における各動作）を停止させた後（Ｓ０７）、入力表示部２にカートリッジ交換が必要である旨等の表示をし（Ｓ０８）、ユーザにカートリッジ交換を促す。
【００６１】
次に、カートリッジ１３を装填部１２から引き抜き（Ｓ０９）、カートリッジ１３内の記録紙を規定通りの記録紙に交換してから（Ｓ１０）。上述のステップＳ０２に戻る。
【００６２】
次に、ステップＳ０５で正しい記録紙と判定されると、その記録紙の固有情報が入力表示部２に表示され（Ｓ１１）、ユーザは固有情報を視認できる。そして、記録紙の固有情報が制御部５０のメモリに記憶され、例えば固有情報の感度指数が図４のＬＵＴ５４に設定されたりまたは現像ユニット２１における現像温度や現像時間の設定に利用され（Ｓ１２）、感度補正等に用いることができる。このようにして、ＩＤタグ６６から自動的に読み取った記録紙の固有情報を画像記録装置１に自動的に設定情報として反映させることができる。
【００６３】
次に、装填部１２に装填されたカートリッジ１３から記録紙を引き出して搬送し、光学ユニット１６内の回転ドラム１０に向けて搬送する（Ｓ１３）。記録紙は、回転ドラム１０と従動ローラ５３との間で搬送され、回転ドラム１０の周囲に巻き付けられる。そして、吸引ブロアＰ１を作動させ回転ドラム１０の内部を負圧にし、記録紙を回転ドラム１０の外周面に真空吸引し保持し、画像データに基づいて光学ユニット１６から光ビームを回転ドラム１０上の記録紙に対し露光する（Ｓ１４）。この露光時に回転ドラム１０を回転方向Ｒに回転させて主走査し、光学ユニット１６を副走査部１７で副走査することで、記録紙に画像記録を行う。
【００６４】
上述の画像記録後、剥離部材１５が回転ドラム１０に接近し記録紙を回転ドラム１０から剥離した後、記録紙をガイド部１８に導く。記録紙Ｓがガイド部１８で案内されながら搬送され搬送ローラ対３２に達すると、搬送ローラ対３２により記録紙が出口１９へと送られ、更に現像ユニット２１との間の接続部１９ａに送られる。次に、現像ユニット２１では、出口１９から接続部１９ａを通して送られてきた露光後の記録紙について現像部２３、定着部２４、安定部２５、乾燥部２６で各現像処理を行い（Ｓ１５）、画像記録がされた記録紙を搬送ローラ対２７ａ等により排出部２７から排出し、装置外部の集積部２８に集積する（Ｓ１６）。
【００６５】
以上のように、本実施の形態の画像記録装置１によれば、記録紙Ｓの固有情報を記録したＩＤタグカード６５が貼付されたカートリッジ１３を画像記録装置１に装填すると、読取部７０でＩＤタグ６６からカートリッジ１３に収容された記録紙の固有情報を自動的に読み取り、その固有情報を画像記録装置１に自動的に設定できるので、従来のような手動設定による設定ミスのおそれがなくなり繁雑な作業が要らず、固有情報を装置の設定に簡単かつ確実に反映できる。
【００６６】
また、読み取られた固有情報に基づいてカートリッジ１３内に間違った記録紙を収容した場合に、その誤装填を検出できるので、異種記録紙の誤装填によるセットミス及び画像記録不良を確実に防止できる。また、ＩＤタグ６６によりカートリッジ１３に装填された記録紙の固有情報をカートリッジ１３を開けること無く、記録紙の固有情報を入力表示部２で認識でき、便利である。
【００６７】
また、異種記録紙の誤装填の場合には、入力表示部２、警告音発生部４８及び警告発光部４９で表示や警告音、警告光を出し、カートリッジ交換以外の動作を自動的に停止させることにより、ユーザに注意を喚起することができ、カートリッジ交換を安全かつ速く行うことができ、異種記録材料の誤装填によるセットミス及び画像記録不良を確実に防止できる。
【００６８】
以上のように本発明を実施するための最良の形態について説明したが、本発明はこれらに限定されるものではなく、本発明の技術的思想の範囲内で各種の変形が可能である。例えば、カートリッジ１３におけるＩＤタグカード６５の貼付位置は、図８の奥側端部１３ａ以外の部分であってもよく、例えば、カートリッジ１３の長手方向の側面、また上面、下面であってもよく、その貼付位置に応じて読取部７０の配置位置を変更する。
【００６９】
また、ＩＤタグカードは、ラベル状に構成してもよく、収納箱Ｂへの取付も直接に貼付するのではなく、ＩＤタグラベルを収容した袋を収納箱Ｂに貼付しておき、袋から取り出してカートリッジに貼り付けるようにしてもよい。
【００７０】
また、ＩＤタグは、記録材料に内包するようにしてもよく、例えば、図５、図７の円筒状の巻き芯部材６０や円形状の鍔部６１または６２等に内包させるようにしてもよい。
【００７１】
また、ＩＤタグは、図１０では密に結合した電磁誘導作用を利用した電磁結合方式によるものを用いたが、本発明では、これに限定されず他の種類のＩＤタグを用いてもよく、例えば、静電気結合方式、電磁誘導方式、マイクロ波方式等によるものを利用できる。また、上記非接触タグとしてＩＤタグ以外のものであってもよく、例えば磁気タグを用いることができる。
【００７２】
また、カートリッジ１３を画像記録装置１へ装填した後、固有情報の判定が不可能だった場合（例えばＩＤタグがカートリッジに貼付されていなかった）には、制御部５０は、固有情報の画像記録装置ヘの設定を手動設定モードヘ切り替え、ユーザが入力表示部２から固有情報を入力して設定可能なように構成してもよい。
【図面の簡単な説明】
【００７３】
【図１】本実施の形態による画像記録装置全体の外観を示す斜視図である。
【図２】図１の画像記録装置の内部を正面側から見た図である。
【図３】図２の画像記録装置の回転ドラム及び光学ユニットを上部から見た要部平面図である。
【図４】図１〜図３の画像記録装置１の露光ユニット１１における画像データの流れ及び画像記録装置１の制御系のブロック図である。
【図５】図１の画像記録装置で使用可能なロール状に巻回された記録紙を示す斜視図である。
【図６】図５のように巻回された記録紙を収納した収納箱を概略的に示す斜視図である。
【図７】図１のカートリッジの内部を側面から見た側断面図である。
【図８】図７のカートリッジの奥側の背面図である。
【図９】図５のＩＤタグカードの平面図である。
【図１０】図９のＩＤタグ及び図７の画像記録装置側に設けられた読取部の電気回路図である。
【図１１】本実施の形態による画像記録装置の動作を説明するためのフローチャートである。
【符号の説明】
【００７４】
１ 画像記録装置
２ 入力表示部
３，４ 給紙カバー
１１ 露光ユニット
１２、１２’装填部
１３ カートリッジ
１３ａ 奥側端部
１４ 給送部
２１ 現像ユニット
４８ 警告音発生部
４９ 警告発光部
５０ 制御部
６５ ＩＤタグカード
６６ ＩＤタグ
７０ 読取部
８０ 判定部
Ｂ 収納箱
Ｓ 記録紙
【図１】
2005181836.tif 000003
【図２】
2005181836.tif 000004
【図３】
2005181836.tif 000005
【図４】
2005181836.tif 000006
【図５】
2005181836.tif 000007
【図６】
2005181836.tif 000008
【図７】
2005181836.tif 000009
【図８】
2005181836.tif 000010
【図９】
2005181836.tif 000011
【図１０】
2005181836.tif 000012
【図１１】
2005181836.tif 000013